(57)【要約】【課題】  フカセ釣り等のウキ釣りにあって、タナ落ちを確実なものにし、さらにタナ落ち進行を容易に視認できるシモリ玉及びこれを用いた魚釣り方法を提供する。【解決手段】  遊動ウキ仕掛けで、道糸２にウキ止め７を固着して遊動ウキ３と共に道糸２に遊挿されるシモリ玉において、本体入口部１２と本体主部１０と本体出口部１１とが一体化されて道糸２が縦通する中通し孔１３を形成し、且つ該中通し孔１３は中央部１３０の孔径よりもハリス側出口部分の孔径Ｃ１を小さくする出口縮径部１３１と竿側入口部分の孔径を小さくする入口縮径部１３２とを形成し、前記出口縮径部１３１にウキ止め７の通過を阻止できる孔径を設ける一方、前記入口縮径部１３１には竿４を穂先４０に向け下降傾斜させることにより遊動ウキ３の押す重圧力でウキ止め７が弾性変形して入口縮径部１３２をくぐり抜け中通し孔の中央部１３０に入り込む大きさの孔径Ｃ２を設けた。【選択図】  図１
2005304347.tif 000002
【特許請求の範囲】
【請求項１】
遊動ウキ仕掛けで、道糸にウキ止めを固着して遊動ウキと共に道糸に遊挿されるシモリ玉において、
本体入口部と本体主部と本体出口部とが一体化されて道糸が縦通する中通し孔を形成し、且つ該中通し孔は中央部の孔径よりもハリス側出口部分の孔径を小さくする出口縮径部と竿側入口部分の孔径を小さくする入口縮径部とを形成し、前記出口縮径部にウキ止めの通過を阻止できる孔径を設ける一方、前記入口縮径部には竿を穂先に向け下降傾斜させることにより遊動ウキの押す重圧力でウキ止めが弾性変形して入口縮径部をくぐり抜け中通し孔の中央部に入り込む大きさの孔径を設けたことを特徴とするシモリ玉。
【請求項２】
前記本体主部の少なくとも外表面が視認性のあるカラー色又は蛍光色になっている請求項１記載のシモリ玉。
【請求項３】
本体入口部と本体主部と本体出口部とが一体化されて道糸が縦通する中通し孔を形成し、且つ該中通し孔は中央部の孔径よりもハリス側出口部分の孔径を小さくする出口縮径部と竿側入口部分の孔径を小さくする入口縮径部とを形成し、さらに前記出口縮径部にウキ止めの通過を阻止できる孔径を設ける一方、前記入口縮径部には竿を穂先に向け下げることにより遊動ウキの押す重圧力でウキ止めが弾性変形して入口縮径部を越え中通し孔の中央部に入り込む大きさの孔径を設けたシモリ玉を用いて、
遊動ウキ仕掛けで、ウキ止めが道糸に固着され遊動ウキと共に該シモリ玉が道糸に遊挿されるようにして、竿を穂先に向け下方に傾け、遊動ウキの押す重圧力でシモリ玉がウキ止めを弾性変形させ入口縮径部を通過させて中通し孔の中央部にウキ止めを入り込ませた後、仕掛けを海に投入することを特徴とする魚釣り方法。
【発明の詳細な説明】
【技術分野】
【０００１】
本発明はフカセ釣り等の遊動ウキ仕掛けのウキ釣りに利用されるシモリ玉及びこれを用いた魚釣り方法に関する。
【背景技術】
【０００２】
磯,堤防からのグレ,チヌ等を対象とした釣法にフカセ釣りがある。フカセ釣りでは通常、ウキを使用し、できるだけ軽い錘りを仕掛けにつけて釣る。対象魚の居る水深は水面下３ｍ〜６ｍ位である。竿の長さは５ｍ前後の長尺ものが一般的である。この長さの竿で仮に６ｍの位置にウキを固定して釣ることは魚の取り込みができなくなる。そこで、これを解決する手段として、近年、遊動仕掛けが多用されている。遊動仕掛けとはフリー状態になっているウキにウキ止めが当たることにより釣るタナを自由に設定できる釣法である。
近年のウキ釣り、特にフカセ釣りではこの遊動仕掛けが一般的になっている。深いタナを釣る場合、ウキが固定されると、既述のごとくウキ下が竿より長くなるため巻き取りや魚の取り込みが困難になるが、遊動仕掛けにすればウキ止め下でウキが移動でき、これらの問題が解消される。
【発明の開示】
【発明が解決しようとする課題】
【０００３】
ただ、ウキの縦通孔が大きいためウキがウキ止めを通過してしまうことから、シモリ玉が用いられてきた（非特許文献１）。シモリ玉１は遊動式になっていて、その外径はウキ３の縦通孔より大にしてウキ３で係止されるようにする一方、シモリ玉１の中通し孔はウキ止め７を止める目的使用から非常に小さな孔径になっていた(図７)。
【０００４】
【非特許文献１】月刊釣紀行編集部制作「釣り紀行SGシリーズ５  ウキの本・３  最新ウキ大百科」,株式会社ライトハウス出版、1999年4月15日発行、104頁
【０００５】
しかるに、ラインは必ずといっていいほど糸ぐせや糸折れがあり、ウキ止めを使用した場合、タナ落ちが悪かった。フカセ釣りで使用する道糸径が小さいことからシモリ玉の中通し孔の孔径は０.６mmφ〜０.８mmφほどにしなければならず、ラインに糸ぐせがついていたりするとこの小さな中通し孔をラインが移動するのは困難になった。特に、フカセ釣りは軽い仕掛けであるためにその糸グセを伸ばす力もなく困難を極めていた。糸ぐせがシモリ玉の中通し孔に引っかかりタナ落ちを停止させてしまうのである。かといって、フカセ釣りの道糸が細いためにウキ止めの孔径を大きくすることはできなかった。ウキ止めがシモリ玉を通過してしまいシモリ玉の役目が果たせなくなるからである。
加えて、シモリ玉の材質はポリプロピレン製が殆どでその比重が約０.９であることから、仕掛けを海に投入する前はシモリ玉がウキとくっついており、投入後もやさしく投入したときは着水点でウキとほぼ同じ位置に着水し、強く投入した場合でもウキから離れても５０cm位の所に位置し接近している。よって、シモリ玉からウキ止めまでの距離は長くなっており、この間で糸ぐせがついていたりしていると、道糸をシモリ玉の小さな中通し孔を通過させてタナ落ちを進めるのが難儀であった。
【０００６】
また、軽い仕掛けのフカセ釣りにおいては実際のタナ落ちが円滑に進んでいるかどうか分かりにくかった。タナ落ちを知ることは好釣果に結びつき、釣り人の求めるところであったが、これまでのタナ落ちを知るための提供技術は十分でなかった。例えばウキ止めを蛍光毛糸にして少し長めで使用する方法(第１の方法)や道糸に１m毎に色を変えたラインを用いる方法(第２の方法)などがあったが、第１の方法は海水中に入ると見えずらく、第２の方法も道糸自体が細いことから見えずらく不十分であった。
【０００７】
本発明は上記問題点を解決するもので、フカセ釣り等のウキ釣りにあって、タナ落ちを確実なものにし、さらにタナ落ち進行を容易に視認できるシモリ玉及びこれを用いた魚釣り方法を提供することを目的とする。
【課題を解決するための手段】
【０００８】
上記目的を達成すべく、請求項１に記載の発明の要旨は、遊動ウキ仕掛けで、道糸にウキ止めを固着して遊動ウキと共に道糸に遊挿されるシモリ玉において、本体入口部と本体主部と本体出口部とが一体化されて道糸が縦通する中通し孔を形成し、且つ該中通し孔は中央部の孔径よりもハリス側出口部分の孔径を小さくする出口縮径部と竿側入口部分の孔径を小さくする入口縮径部とを形成し、前記出口縮径部にウキ止めの通過を阻止できる孔径を設ける一方、前記入口縮径部には竿を穂先に向け下降傾斜させることにより遊動ウキの押す重圧力でウキ止めが弾性変形して入口縮径部をくぐり抜け中通し孔の中央部に入り込む大きさの孔径を設けたことを特徴とするシモリ玉にある。
請求項２の発明たるシモリ玉は、請求項１で、本体主部の少なくとも外表面が視認性のあるカラー色又は蛍光色になっていることを特徴とする。
請求項３に記載の発明の要旨は、本体入口部と本体主部と本体出口部とが一体化されて道糸が縦通する中通し孔を形成し、且つ該中通し孔は中央部の孔径よりもハリス側出口部分の孔径を小さくする出口縮径部と竿側入口部分の孔径を小さくする入口縮径部とを形成し、さらに前記出口縮径部にウキ止めの通過を阻止できる孔径を設ける一方、前記入口縮径部には竿を穂先に向け下げることにより遊動ウキの押す重圧力でウキ止めが弾性変形して入口縮径部を越え中通し孔の中央部に入り込む大きさの孔径を設けたシモリ玉を用いて、遊動ウキ仕掛けで、ウキ止めが道糸に固着され遊動ウキと共に該シモリ玉が道糸に遊挿されるようにして、竿を穂先に向け下方に傾け、遊動ウキの押す重圧力でシモリ玉がウキ止めを弾性変形させ入口縮径部を通過させて中通し孔の中央部にウキ止めを入り込ませた後、仕掛けを海に投入することを特徴とする魚釣り方法にある。
【０００９】
(作用)
請求項１,３の発明によれば、中通し孔が中央部と入口縮径部と出口縮径部を備えて、入口縮径部は竿を穂先に向け下げることにより遊動ウキの押す重圧力でウキ止めが弾性変形して該入口縮径部をくぐり抜けシモリ玉の中通し孔の中央部に入り込む大きさになっているので、仕掛け投入前に竿先を下に傾ける簡単な操作でウキ止めとシモリ玉とを合体できる。この合体により投入後にシモリ玉内を道糸が移動する必要がなくなり、タナ落ちが良好になる。魚がかかれば、道糸を巻き取るが穂先にシモリ玉が当たれば落下するので、魚釣りに支障はない。
仕掛け投入時点でシモリ玉とウキ止めが合体していることから、請求項２のごとくシモリ玉の外表面に視認性のあるカラー色又は蛍光色を施せば、タナ落ち状態を楽に知ることができる。
【発明の効果】
【００１０】
本発明のシモリ玉及びこれを用いた魚釣り方法は、投入前にシモリ玉をウキ止めに合体させて使用することで、フカセ釣り等のウキ釣りにあって、タナ落ちを良好にし、さらに本体主部の少なくとも外表面に視認性のあるカラー色又は蛍光色を施すことによってタナ落ち進行を容易に視認できるなど優れた効果を発揮する。
【発明を実施するための最良の形態】
【００１１】
以下、本発明に係るシモリ玉及びこれを用いた魚釣り方法について詳述する。
[実施形態１]
図１〜図３は本発明のシモリ玉及びこれを用いた魚釣り方法の一形態で、図１は(イ)がその平面図で(ロ)がその縦断面図、図２は遊動ウキの押す重圧力でシモリ玉がウキ止めを弾性変形させ中通し孔の中央部に入り込ませるよう竿を穂先に向け下降傾斜させる様子の説明図、図３は図２でウキ止めをシモリ玉の中通し孔内に挿入させた後、仕掛け投入し着水時点の様子を示した概略説明図である。
【００１２】
本実施形態のシモリ玉１は主部材Ｆとリング部材Ｅとからなる。遊動ウキ仕掛けで道糸２にウキ止め７を固着して遊動ウキ３と共に道糸２に遊挿されるシモリ玉１である。シモリ玉１は図１のごとく竿側(図１のロの上側)からハリス側(図１のロの下側)に縦通する中通し孔１３を有して全長が８〜１２mmほどあり、また竿側入口部分の外径が４〜６mmφほどある中空円錐体のような格好をしている。主部材Ｆがシモリ玉１の本体主部１０と本体出口部１１を形成し、リング部材Ｅが主部材Ｆの貫通孔の竿側入口部分に嵌入,圧着されて本体入口部１２を形成する。
【００１３】
主部材Ｆはポリプロピレン等の樹脂成型品からなる。竿側に配される上半部がほぼ円筒部を形成し、該円筒部の下縁からハリス側に配される下端に向けその外径及び内径を中空円錐状にすぼめて本体出口部１１を形成して、縦通する貫通孔のある主部材Ｆとする。主部材Ｆの上縁肉厚部は内側に向けて窪んでいる。主部材Ｆには本体主部１０の少なくとも外表面に視認性のあるカラー色又は蛍光色が施される。これにより仕掛け投入で海面Ｓに浮かぶシモリ玉１の位置が容易に視認でき、タナ落ち進行を確認する場合に楽になる。カラー色の色彩は色相,明度,彩度の３要素からなる有彩色が好ましい。また色鮮やかな蛍光色等がより好ましい。色彩はシモリ玉１の形状を完成させた後、塗装等によって着色塗装してもよいし、成形材料に顔料等を混合した後、色彩が施された主部材Ｆを成形して意匠面に視認性の色彩が施されるようにしてもよい。
【００１４】
リング部材Ｅは樹脂又は金属製の中空円筒体にして、その円筒外径が３.０〜３.５mmφほどで主部材Ｆの竿側入口部分の円筒部内径より若干大きくして該リング部材Ｅを主部材Ｆの竿側入口部分の円筒部内に嵌入し、圧入固定できるようになっている。リング部材Ｅと主部材Ｆの接合面には適宜接着剤が塗布され両部材の一体化をより強固にする。入口縮径部１３２となるリング部材Ｅの最小内径は１.０〜１.５mmφの範囲である。最小内径はハリス側の下端部分に形成され、竿側入口部分に向けてラッパ状に口を大きく広げる。
【００１５】
主部材Ｆの円筒部内にリング部材Ｅを嵌入して圧着固定してなるシモリ玉１は、入口縮径部１３２を形成する本体入口部１２と中通し孔中央部１３０を形成する本体主部１０と出口縮径部１３１を形成する本体出口部１１とが一体化して道糸２が縦通する中通し孔１３が形成される。リング部材Ｅが圧着固定されることによってリング部材Ｅの最小内径部分Ｃ２が竿側入口部分の孔径を小さくすることとなり入口縮径部１３２が形成される。また本体出口部１１のハリス側出口部分には、リング部材Ｅが圧着固定された該リング部材Ｅの底面下に在る中通し孔１３の中央部１３０の孔径よりも孔径を小さくする出口縮径部１３１が形成される。符号Ｃ１は出口縮径部の孔径を示す。中通し孔１３は本体入口部１２でラッパ状に口の広がる入口から本体入口部１２(リング部材Ｅ)を通過する入口縮径部１３２の地点で最小孔径Ｃ２になり、リング部材Ｅを過ぎた地点でその孔径が一旦拡大し中央部１３０となる。リング部材Ｅの下面部が図１のようにほぼ水平面になっていて、後述するウキ止め７が弾性変形して中央部１３０に入り込んだ場合に該下面部がウキ止め７が抜け出るのを阻止する係止部になる。中央部１３０の竿側部分が下面部によって狭められているために、ウキ止め７が中央部１３０内に一旦取り込まれれば入口縮径部１３２から容易に抜け出せないようになっている。
【００１６】
中央部１３０はその先の本体出口部１１に向け孔径が徐々に小さくなり本体出口部１１のハリス側先端部分でその孔径Ｃ１が０.４〜０.８mmφの範囲の小径になり、ウキ止め７の通過を阻止できる出口縮径部１３１となっている。中通し孔１３の各部の孔径の大きさを比較すると、中央部１３０＞入口縮径部１３２＞出口縮径部１３１であり、出口縮径部１３１の所だけはウキ止め７を止める必要から小さな孔径Ｃ１が形成されている。
【００１７】
これに対し、前記入口縮径部１３２には、遊動ウキ仕掛けで、海面Ｓから釣針８(サシエ９)までのタナの長さを例えば５ｍとして、釣針８の位置から５ｍの所の道糸２にウキ止め７を固着すると共にウキ止め７とサルカン５の間に該シモリ玉１と遊動ウキ３を道糸２に遊挿して、竿４を穂先４０(竿４の先端)に向け水平より下に傾けることにより遊動ウキ３の押す重圧力でウキ止め７が弾性変形して入口縮径部１３２を越え中通し孔１３の中央部１３０に入り込む大きさの前記最小孔径Ｃ２が形成されている。
【００１８】
ここで、本発明で用いるウキ止め７は弾性変形可能なものをいい、例えば図１に示すヒゲ付きウキ止め７等が適用される。ヒゲ付きウキ止め７はハリスの１.２号〜１.５号を道糸２に巻き付け結束部７０を形成すると共にヒゲ７１(端)を１０mm程度残してカットしたウキ止め７で、通称、山元式ウキ止め７(「なるほどウキ止め７」ともいう。)と呼ばれている。ウキ止め７に使用するハリスはナイロンハリスでもよいが、フロロカーボンハリスの方が弾性反発力があるのでこれが専ら用いられている。現在の磯釣りのフカセ釣りでは、多くの釣り人がこのヒゲ付きウキ止め７を愛用する。ヒゲ付きウキ止め７を本発明で使用する場合、そのヒゲ７１の長さを２mm程度にすると本発明の効果を一層発揮できより好ましくなる。
【００１９】
前記竿４を水平状態から穂先４０に向け下降傾斜させれば、遊動ウキ３及びシモリ玉１が道糸２上を滑り(図２の矢印)、穂先４０のウキ止め７に到達する。そして遊動ウキ３の重力の重みがシモリ玉１に加わり遊動ウキ３のシモリ玉１を押す重圧力がウキ止め７のヒゲ７１を弾性変形させて(図１のロの鎖線)、ウキ止め７を入口縮径部１３２を潜らせ中通し孔１３の中央部１３０に入り込ませることができる構成である。竿４をほぼ水平状態に保って、その後、穂先４０を下方に傾ければシモリ玉１とウキ止め７とが容易に合体する。ウキ止め７が中央部１３０に一旦入れば、ヒゲ付きウキ止め７のヒゲ７１が弾性復元してリング部材Ｅの下面に引っ掛かって係止されることとなり、簡単にはウキ止め７が中央部１３０から抜け出なくなる。
【００２０】
次に、上記シモリ玉１を用いた魚釣り方法の一例を説明する。まず、遊動ウキ仕掛けで、ウキ止め７が道糸２に固着され遊動ウキ３と共に該シモリ玉１が道糸２に遊挿されるようにして、釣針８にサシエ９を取り付けて投入準備をする。次いで、竿４を穂先４０に向け下方に傾け、遊動ウキ３,シモリ玉１を穂先４０の方へ滑らせる(図２の矢印)。その後、遊動ウキ３,シモリ玉１が穂先４０近くに固着されたウキ止め７に達するが、ここで、重量のある遊動ウキ３の重みでシモリ玉１が後押しされて、ウキ止め７のヒゲ７１を弾性変形させ寝かせるようにしてシモリ玉１が動き(図１のロの白抜き矢印)、ウキ止め７を貫通孔内に取り込む。すなわち、ヒゲ７１が弾性変形して(図１の鎖線)、ウキ止め７のヒゲ７１の出っ張り部分が道糸２に沿うようになって入口縮径部１３２を通過し中通し孔１３の中央部１３０内に収まる。中通し孔１３の出口縮径部１３１はウキ止め７が通過できない大きさであるためにウキ止め７がシモリ玉１の遊動ウキ３側に出ることはない。中央部１３０内に収まったウキ止め７はヒゲ７１が弾性復元して中央部１３０から出難い状態になる(図１の実線)。
【００２１】
こうして、シモリ玉１とウキ止め７を合体させた後、仕掛けを海に投入する。投入時のシモリ玉１は出口縮径部１３１の側が風上になって飛んでいき、またシモリ玉１の重量が０.１g〜０.３gの範囲にあるので、ウキ止め７がシモリ玉１から外れることはない。投入前にシモリ玉１とウキ止め７が合体していることからタナ落ちが良好になる。その後、魚がかかったときは道糸２をリールＲで巻き取っていくが、穂先４０にシモリ玉１が当たると、ヒゲ７１がリング部材Ｅの下面に引っ掛かって係止している弾性力以上の巻き取り力が加わることからシモリ玉１がウキ止め７から離れ落下する。シモリ玉１とウキ止め７が釣針８から４〜６mの位置に固定されたままであれば、大物の魚が掛かった時に穂先４０ガイドにあたり巻き取りができなくなったり穂先４０を折ったりするが、シモリ玉１が落下するため、巻き取りはスムーズに行え、穂先４０を折ることもない。また通常の釣りをする操作では、穂先４０にシモリ玉１を当てない限りシモリ玉１が落下することがないため、竿４を穂先４０に向け下げ、遊動ウキ３,シモリ玉１を穂先４０の方へ滑らせシモリ玉１とウキ止め７を合体させる操作は魚が掛かった時だけになり、いたって快適な魚釣りになる。
【００２２】
[実施形態２]
本実施形態は図４のごとくのシモリ玉１である。図４は図１(ロ)に対応するシモリ玉１の縦断面図である。本実施形態のシモリ玉１も実施形態１と同様、軸対称品である。
【００２３】
主部材Ｆは主部材Ｆがシモリ玉１の本体主部１０と本体出口部１１を形成し、リング部材Ｅが主部材Ｆの貫通孔の竿側入口部分に嵌入,圧着されて本体入口部１２を形成する。主部材Ｆは下半部の本体出口部１１から上半部の本体主部１０に向けて内径及び外径が徐々に広がるほぼ中空円錐形の形をなしている。本体出口部１１の下端部分が最小孔径Ｃ１になって出口縮径部１３１を形成する。主部材Ｆは上端部分の肉厚を徐々に少なくして外形の末広がりが抑えられている。リング部材Ｅは中空円筒体で、その円筒外径を主部材Ｆの竿側入口部分の本体主部１０の内径より若干大きくして該リング部材Ｅを主部材Ｆの竿側入口部分に圧入固定されるようにしている。入口縮径部１３２となるリング部材Ｅの最小内径Ｃ２は１.０〜１.５mmφの範囲である。入口縮径部１３２の最小内径Ｃ２はハリス側の下端部分に形成され、竿側入口部分に向けてラッパ状に口を大きく広げる。
【００２４】
主部材Ｆにリング部材Ｅを嵌入して圧着固定してなるシモリ玉１は、本体入口部１２と本体主部１０と本体出口部１１とが一体化して道糸２が縦通する中通し孔１３が形成されるが、前述のごとく中通し孔１３は中央部１３０の孔径よりもハリス側出口部分の孔径Ｃ１を小さくする出口縮径部１３１と竿側入口部分の孔径Ｃ２を小さくする入口縮径部１３２とが形成される。そして、出口縮径部１３１はウキ止め７の通過を阻止できる小径Ｃ１を設ける一方、入口縮径部１３２は竿４を穂先４０に向け下方に傾けることにより遊動ウキ３の押す重圧力でウキ止め７が弾性変形して入口縮径部１３２をくぐり抜け中通し孔１３の中央部１３０に入り込む大きさの孔径Ｃ２を設ける。他の構成は実施形態１と同様でその説明を省く。実施形態１と同一符号は同一又は相当部分を示す。
【００２５】
[実施形態３]
本実施形態は図５ごとくのシモリ玉１である。図５は図１(ロ)に対応するシモリ玉１の縦断面図である。本実施形態のシモリ玉１も実施形態１と同様、軸対称品である。主部材Ｆはその外形が球体で、該球体を縦通する貫通孔が形成されている。貫通孔は下端部分が小径の出口縮径部１３１を形成し、該出口縮径部１３１から上方へ向けて徐々に拡径する貫通孔になり中通し孔１３の中央部１３０を形成する。その先の主部材Ｆの上端付近に近づいてきた所で孔径を同じに保って円柱孔にし、該円柱孔に中空円筒体のリング部材Ｅが圧入固定される。主部材Ｆにリング部材Ｅを圧入固定されてなるシモリ玉１は、本体入口部１２と本体主部１０と本体出口部１１とが一体化して道糸２が縦通する中通し孔１３が形成される。その中通し孔１３は中央部１３０の孔径よりもハリス側出口部分の孔径を小さくする出口縮径部１３１と竿側入口部分の孔径Ｃ２を小さくする入口縮径部１３２とが形成される。そして、出口縮径部１３１にウキ止め７の通過を阻止できる小径Ｃ１を設ける一方、入口縮径部１３２には竿４を穂先４０に向け下げることにより遊動ウキ３の押す重圧力でウキ止め７が弾性変形して入口縮径部１３２を越え中通し孔１３の中央部１３０に入り込む大きさの孔径Ｃ２を設ける。他の構成は実施形態１と同様でその説明を省く。実施形態１と同一符号は同一又は相当部分を示す。
【００２６】
[実施形態４]
本実施形態は図６ごとくのシモリ玉１である。図６(イ)はシモリ玉１の半割り部で、(ロ)は(イ)の半割り部同士を接合一体化してなるシモリ玉１の平面図である。
本実施形態のシモリ玉１は半球状の一対の半割り部１ａ,１ｂに溝を形成した成形品を接合一体化したもので、半割り部１ａ,１ｂの合わせ面には一方の半割り部１ａに突起１５が、他方の半割り部１ｂに突起１５に嵌合する凹み１７が設けられる。両半割り部１ａ,１ｂの合わせ面を接合一体化すれば実施形態３と同じような外形が球体のシモリ玉１が出来上がる。両半割り部にはシモリ玉１になったときに、道糸２が縦通する中通し孔１３が形成される。その中通し孔１３は中央部１３０の孔径よりもハリス側出口部分の孔径を小さくする出口縮径部１３１と竿側入口部分の孔径を小さくする入口縮径部１３２とを有し、その中通し孔１３が形成されるよう前記溝が成形加工されている。そして、出口縮径部１３１にウキ止め７の通過を阻止できる小径Ｃ１を設ける一方、入口縮径部１３２には竿４を穂先４０に向け下げることにより遊動ウキ３の押す重圧力でウキ止め７が弾性変形して入口縮径部１３２を越え中通し孔１３の中央部１３０に入り込む大きさの孔径Ｃ２を設ける。他の構成は実施形態３と同様でその説明を省く。実施形態３と同一符号は同一又は相当部分を示す。
【００２７】
[実施形態の効果]
このように構成した実施形態１〜４のシモリ玉及びこれを用いた魚釣り方法によれば、従来のシモリ玉がウキ止め７を止める道具でしかなかったのに対し、投入前にシモリ玉１がウキ止め７と合体して使用することが可能でタナ落ちが極めて良好になる。シモリ玉１の中通し孔１３内を道糸２が移動する必要はなく、遊動ウキ３の大きな通孔を道糸２が移動してタナ落ちが進行するので円滑に行われる。仕掛けのタナ落ちを妨げる従来のシモリ玉１の欠点を解消する。道糸２の糸グセや糸折れ等で仕掛けが落ちなかったりした従来の不具合が一挙に解決される。
【００２８】
また、シモリ玉１の本体主部１０の少なくとも外表面に視認性のあるカラー色又は蛍光色を施せばタナ落ちの状態を容易に把握できるようになる。シモリ玉１は従来の蛍光毛糸(第１の方法)や色を交互に変えたラインを用いる方法(第２の方法)と違って海面Ｓにシモリ玉１が浮き且つ視認できる大きさがあるので、釣人は磯等にいてもタナ落ち進行を容易に見とどけることができる。フカセ釣りでは軽い仕掛けが基本であることから風,波などに仕掛けのタナ落ちが妨げられる。仕掛けの沈下状態が目で確認できないためどのように修正したらよいかも判らない。本発明のシモリ玉１を用いれば沈下状態が常に判るため、道糸２のライン修正をたやすくなし得る。タナ落ち状態を知ることが好釣果に結びつくので、本シモリ玉１は釣り人の理想の釣り具になっている。
【００２９】
そして、前記シモリ玉１とウキ止め７の合体は、投入前に左手にハリスを持ち、右手で竿４をもって穂先４０を水平より下に傾けるだけで行うことができる。数秒で合体するのである。シモリ玉１にウキ止め７を入れ込む作業を手作業で行うのは大変である。なぜなら、竿４は５〜６mあり、足場の悪い所で移動して手作業することになるからである。タナ落ちを確認できる優れた発明でもシモリ玉１とウキ止め７の合体取り付けに難があれば役に立たない。本発明は画期的な取付け方法の発明になっている。穂先４０を水平より下に傾ければ、遊動ウキ３とシモリ玉１がウキ止め７に向けてスライドし、シモリ玉１は遊動ウキ３の重量のある重圧力に押されてウキ止め７のヒゲ７１を弾性変形させてウキ止め７を入口縮径部１３２を通過させ中通し孔１３の中央部１３０に簡単に取り込むことができる。糸グセや糸折れがあっても重量のある遊動ウキ３の押す力でシモリ玉１の入口縮径部１３２を楽に通過させてしまう。わざわざ手でシモリ玉１内にウキ止め７を装着する必要はない。
一方、魚が掛かったときには道糸２を巻き取ることになるが、シモリ玉１は穂先４０に当たった段階でウキ止め７から外れ落下するのでまた好都合となっている。
【００３０】
尚、本発明においては前記実施形態に示すものに限られず、目的,用途に応じて本発明の範囲で種々変更できる。シモリ玉１の形状,大きさ,材質等は用途に合わせて適宜選択できる。例えば、実施形態は主部材Ｆにポリプロピレンを用いたが、これに代え硬質発泡材料等を用いることができる。遊動ウキは実施形態の中通しウキだけでなく環付きウキを用いることができる。
【図面の簡単な説明】
【００３１】
【図１】実施形態１のシモリ玉で、(イ)がその平面図で(ロ)がその縦断面図である。
【図２】遊動ウキの押す重圧力でシモリ玉がウキ止めを弾性変形させ中通し孔の中央部に入り込ませるよう竿を穂先に向け下げる様子の説明図である。
【図３】図２でウキ止めをシモリ玉の中通し孔内に挿入させた後、仕掛け投入し着水時点の様子を示す概略説明図である。
【図４】実施形態２のシモリ玉で、図１(ロ)に対応するシモリ玉の縦断面図である。
【図５】実施形態３のシモリ玉で、図１(ロ)に対応するシモリ玉の縦断面図である。
【図６】実施形態４のシモリ玉で、(イ)がシモリ玉の半割り部で、(ロ)が(イ)の半割り部同士を接合一体化してなるシモリ玉の平面図である。
【図７】従来技術の概略説明図である。
【符号の説明】
【００３２】
１            シモリ玉
１０          本体主部
１１          本体出口部
１２          本体入口部
１３          中通し孔
１３０        中央部
１３１        出口縮径部
１３２        入口縮径部
２            道糸
３            遊動ウキ
４            竿
４０          穂先
７            ウキ止め
Ｃ１            ハリス側出口部分の孔径
Ｃ２            竿側入口部分の孔径
【図１】
2005304347.tif 000003
【図２】
2005304347.tif 000004
【図３】
2005304347.tif 000005
【図４】
2005304347.tif 000006
【図５】
2005304347.tif 000007
【図６】
2005304347.tif 000008
【図７】
2005304347.tif 000009